(57)【要約】【課題】連結具本体の一方の開放端部に、スライド自在に被嵌止した開閉筒体を、閉じ位置又は開き位置にコイルスプリングの反発力（ばね力）を効かせて確り保持でき、また、開閉筒体の操作は片手でも簡単にできる使い勝手の良いチェン等の連結具を提供する。【解決手段】線材を２個所でＵ字状に彎曲させ、線材両端を対向させて開放部２を形成した本体１と、本体１の一方の開放端部にスライド自在に被嵌止した開閉筒体３と、開閉筒体３の先端部寄り位置で開閉筒体内に設けた固定杆４と、開閉筒体３内に介装されて開閉筒体３を閉じ方向に付勢するコイルスプリング１０と、開閉筒体３の基部から軸線方向に設けた案内溝７と、この案内溝７に連続して横方向に設けた係止溝８と、案内溝７内にあって本体１に突設した係止ピン９とを備える。【選択図】      図１
2006161916.tif 000002
【特許請求の範囲】
【請求項１】
所定長さの線材を２個所でＵ字状に彎曲させ、両方の彎曲部間で線材両端を対向させて開放部を形成した本体と、該本体の開放部を開閉する開閉筒体の基部を、本体の一方の開放端部にスライド自在に被嵌止した連結具であって、本体の開放部に臨む開閉筒体の先端部寄り位置で開閉筒体内に設けた係止部材と、開閉筒体の基部から軸線方向に切欠状に設けた案内溝と、この案内溝に連続させて横方向に設けた係止溝と、案内溝内にあって本体に突設した係止ピンと、開閉筒体内にあって本体端面と係止部材間に介装したコイルスプリングを備え、コイルスプリングの付勢下に開閉筒体が閉じ位置にある状態で、開閉筒体の先端部に対応する本体の開放端部を入り込ませて係止部材に圧接させることを特徴とするチェン等の連結具。
【請求項２】
開閉筒体が閉じ位置にある状態で、係止ピンは開閉筒体の基部近傍で案内溝内に位置することを特徴とする請求項１記載のチェン等の連結具。
【請求項３】
コイルスプリングの反発力に抗して開閉筒体をスライドさせ、係止ピンを案内溝から係止溝に移行させた状態で、開閉筒体は開き位置に保持されることを特徴とする請求項１記載のチェン等の連結具。
【請求項４】
係止部材が開閉筒体内の中孔を横切る固定杆からなることを特徴とする請求項１記載のチェン等の連結具。
【発明の詳細な説明】
【技術分野】
【０００１】
本発明はチェン等の連結に使用する開閉自在な連結具、更に詳しくは、連結具本体の一方の開放端部にスライド自在に被嵌止した開閉筒体によって本体の開放部の開閉と、開閉筒体を閉じ位置又は開き位置に保持することができるチェン等の連結具に関するものである。
【背景技術】
【０００２】
チェンなどに組付けて２つのチェンの連結等に使用する連結具として、所定長さの線材を２個所でＵ字状に彎曲させて線材両端を対向させて開放部を形成した本体と、該本体の開放端部にねじ部を設け、ねじ部に開放部を開閉する筒状開閉部材を螺着し、筒状開閉部材が閉じ位置にある時に、筒状開閉部材が開放部に跨がって本体の開放端部に設けたねじ部に螺合して一連の環体とする構成の連結具が実用されている。
【０００３】
この種の連結具は、形態的にはチェンを構成するチェン環とほぼ同じにできているために、２つのチェンを連結するような時には、チェンの中間に連結具が存在しても気にならずに取扱われ、２つのチェンの分離連結は、随時に連結具のところで筒状開閉部材を回動操作して本体の開放端部のねじ部との螺合を解き、筒状開閉部材を本体上にスライドさせて開放部を簡単に開閉できるので、チェンの使用を便利にするものである。（例えば、特許文献１参照）。
【０００４】
ところが、前記するような構成の連結具を使用して、例えば、２つのチェンを連結状態で使用している時に、何らかの原因で筒状開閉部材が回動して緩みを生じ、本体のねじ部との螺合が解かれて不用意に本体の開放部が開放されるようなことがあり、信頼性に欠ける面がある。
【０００５】
また、２つのチェンの分離連結に使用する時は、本体の開放部を開閉するのに、本体側を固定しておいて筒状開閉部材を回動させて本体側のねじ部と螺合させたり螺合を解いたりする操作を必要とするので、筒状開閉部材の回動操作は、何かと煩わしいものであり、時間も掛かる。
【特許文献１】実公平５−４２２５３号公報。
【発明の開示】
【発明が解決しようとする課題】
【０００６】
本発明は、このような状況に鑑みてなされたものであって、本体の一方の開放端部にスライド自在に被嵌止した開閉筒体が、本体の開放部に跨って閉じ位置にあるときは、コイルスプリングの反発力（ばね力）を効かせて開閉筒体を閉じ位置に確り保持して不用意に本体の開放部が開放されるようなことがなく、また、開閉筒体の操作は片手でも簡単にできる使い勝手の良いチェン等の連結具を提供することを目的としたものである。
【課題を解決するための手段】
【０００７】
前記の目的を達成するために、本発明に係るチェン等の連結具は、所定長さの線材を２個所でＵ字状に彎曲させ、両方の彎曲部間で線材両端を対向させて開放部を形成した本体と、該本体の開放部を開閉する開閉筒体の基部を、本体の一方の開放端部にスライド自在に被嵌止した連結具であって、本体の開放部に臨む開閉筒体の先端部寄り位置で開閉筒体内に設けた係止部材と、開閉筒体の基部から軸線方向に切欠状に設けた案内溝と、この案内溝に連続させて横方向に設けた係止溝と、案内溝内にあって本体に突設した係止ピンと、開閉筒体内にあって本体端面と係止部材間に介装したコイルスプリングを備え、コイルスプリングの付勢下に開閉筒体が閉じ位置にある状態で、開閉筒体の先端部に対応する本体の開放端部を入り込ませて係止部材に圧接させることを特徴とする。
【０００８】
ここで、本体の基本的形態はチェンを構成するチェン環と略同じくし、開閉筒体の長さは、本体の開放部の長さより長く設定され、開閉筒体がコイルスプリングの付勢下に閉じ位置にある状態では、本体の開放部に臨む開閉筒体の先端部には、対応する本体の開放端部が入り込ませて係止部材に圧接し、開閉筒体は、本体の開放端部間に跨って本体の開放部を閉鎖する。
【０００９】
従って、本発明に係る連結具によれば、開閉筒体が閉じ位置にある状態では、コイルスプリングの反発力を効かせて開閉筒体は閉じ位置に確り保持されるので、人為的に開閉筒体を開き方向にスライド操作をさせない限りは、本体の開放部の開放が制限されるので、不用意に本体の開放部が開放されて連結具が外されるようなことがなく、信頼性の高いチェン等の連結を実現する。
【００１０】
前記構成において、開閉筒体が閉じ位置にある状態で、係止ピンは開閉筒体の基部近傍で案内溝内に位置するように構成すると、閉じ位置にある開閉筒体の回動が阻止され、本体に対する開閉筒体は無用な動きをなくして安定性の向上が図られる。
【００１１】
前記構成において、コイルスプリングの反発力に抗して開閉筒体をスライドさせ、係止ピンを案内溝から係止溝に移行させた状態で、開閉筒体は開き位置に保持される構成にすると、開閉筒体は、コイルスプリングの反発力を効かせて閉じ位置にも保持されて本体の開放部を開放状態にすることができるので、チェン等の連結作業をし易くして作業性を向上できる。
【００１２】
前記構成において、係止部材が開閉筒体内の中孔を横切る固定杆からなる構成にすると、この固定杆の開閉筒体に対する組み付けは、開閉筒体に、その中孔を横断する小孔を穿設し、この小孔に固定杆を貫通させて固着するだけの簡単な作業で済むので、生産加工性の向上が図られる。
【発明の効果】
【００１３】
本発明は、以上説明したような形態で実施され、本発明に係る連結具によれば、開閉筒体が閉じ位置にあるときは、コイルスプリングの反発力を効かせて開閉筒体を閉じ位置に確り保持されるので、不用意に本体の開放部が開放されて連結具が外されるようなことがなく、信頼性の高いチェン等の連結を実現する。また、コイルスプリングの反発力に抗して開閉筒体をスライドさせ、本体に突設した係止ピンを開閉筒体の案内溝から係止溝に移行させて手を離すと、ここでも、コイルスプリングの反発力を効かせて開閉筒体は開き位置に確り保持されるので、本体の開放部を開放したままでチェン等の連結作業をし易くして作業性を向上できる。また、開閉筒体のスライド操作は片手でできるので、連結具を使い易くして作業性を向上できる。
【発明を実施するための最良の形態】
【００１４】
以下、図面を参照しながら、本発明の実施例に係る連結具について具体的に説明する。
【実施例１】
【００１５】
図１は本発明に係る連結具の開閉筒体が閉じ位置にある状態の連結具の斜視図、図２は開閉筒体が閉じ位置にある状態の連結具の側面図、図３は開閉筒体が開き位置にある状態の連結具の側面図である。
【００１６】
各図において、連結具Ａの本体１は、所定長さの線材を２個所でＵ字状に彎曲させ、両方の彎曲部間で線材両端を対向させて開放部２を形成し、この本体１の開放部２に跨って本体１の一方の開放端部にスライド自在に開閉筒体３を被嵌止している。
【００１７】
ここで、開閉筒体３の基部には、本体１の一方の開放端部が緩挿され、開閉筒体３の先端部は、本体１の開放部２に臨んで本体１の他方の開放端部に接離動して本体１の開放部２を開閉するようにしている。
【００１８】
開閉筒体３の先端部寄り位置には、開閉筒体３内の中孔を横切る固定杆４を設けて中孔を仕切り、開閉筒体３の先端部側に受け口５を形成し、開閉筒体３の基部側にスプリング収納部６を形成している。
【００１９】
なお、実施例における開閉筒体３に対する固定杆４の組み付けは、開閉筒体３に、その中孔を横切る小孔を穿設し、この小孔に固定杆４を貫通させて固定杆４の両端部を開閉筒体３に固着する手法を採っている。
【００２０】
開閉筒体３の基部から中間部に掛けて、開閉筒体３の基端から軸線方向に切欠状に案内溝７を設け、この案内溝７に連続して横方向に係止溝８を設けている。
【００２１】
そして、案内溝７内にあって本体１に係止ピン９を突設し、固定杆４により開閉筒体３内の中孔に仕切られたスプリング収納部６には、本体端面と固定杆４との間に、コイルスプリング１０を介装し、このコイルスプリング１０の反発力を効かせて開閉筒体３を閉じ方向に付勢している。
【００２２】
こうして、開閉筒体３が閉じ位置にある状態では、固定杆４により開閉筒体３の先端部に仕切られた受け口５に、対応する本体１の開放端部が入り込んで固定杆４に圧接し、開閉筒体３によって本体１の開放部２を閉鎖し、また、係止ピン９は開閉筒体３の基部寄りで案内溝７内に位置している。
【００２３】
次に、前記構成からなる連結具を使用する場合について説明する。
【００２４】
連結具Ａとして本体１に連結しようとするチェンの環体を挿入したり取り外したりするのに、閉じ位置にある開閉筒体３を操作して本体１の開放部２を開くときは、コイルスプリング１０の反発力に抗して開閉筒体３を開き方向にスライドさせる。このとき係止ピン９を案内溝７の内奥端部に当たるまで進めて開閉筒体３を回動させると、係止ピン９は案内溝７から係止溝８に移行するので、ここで開閉筒体３から手を離すと、係止ピン９は係止溝８内に安定し、開閉筒体３の受け口５から本体１の開放端部が抜け出て開放部２は開いた状態に保持される。こうして開かれた開放部２を介してチェン等の脱着が行われる。
【００２５】
次に、本体１の開放部２を閉じる時は、開き位置にある開閉筒体３を、前記動作とは逆順で回動操作すると、係止ピン９が係止溝８から案内溝７に移行すると同時に、コイルスプリング１０の反発力で開閉筒体３が閉じ方向にスライドし、開閉筒体３の受け口５に対応する本体１の開放端部が入り込んで固定杆４に圧接して開放部２を閉じた状態に保持される。
【産業上の利用可能性】
【００２６】
本発明は、連結具の本体に設けた開放部を開閉する開閉筒体を、閉じ位置にも開き位置にも、コイルスプリングの反発力を効かせて保持できるので、ロープやチェン等の脱着が繰り返し行われるような所に適用できる。
【図面の簡単な説明】
【００２７】
【図１】本発明に係る連結具の開閉筒体が閉じ位置にある状態の連結具の斜視図である。
【図２】開閉筒体が閉じ位置にある状態の連結具の側面図である。
【図３】開閉筒体が開き位置にある状態の連結具の側面図である。
【符号の説明】
【００２８】
１  本体
２  開放部
３  開閉筒体
４  固定杆（係止部材）
５  受け口
６  スプリング収納部
７  案内溝
８  係止溝
９  係止ピン
１０  コイルスプリング
Ａ  連結具
【図１】
2006161916.tif 000003
【図２】
2006161916.tif 000004
【図３】
2006161916.tif 000005